(57)【要約】【課題】ウインドパークにおける電力損失を低減し、それによってウインドパークの効率を向上すること。【解決手段】風から電気エネルギを生成するウインドパークは、電気エネルギを生成する少なくとも２つの風力発電装置（２）、及び生成された電気エネルギ、又はその一部、を電気供給ネット（１４）に給電するための共通の給電装置（８）を含み、前記少なくとも２つの風力発電装置（２）は、各風力発電装置（２）によって生成された電気エネルギを電気的直流によって前記共通の給電装置（８）に導くために、電気的直流電圧ネット（４）を介して前記給電装置（８）に接続される。【選択図】図２
2015532697.tif 000002
【特許請求の範囲】
【請求項１】
風から電気エネルギを生成するウインドパーク（１）であって、
・電気エネルギを生成する少なくとも２つの風力発電装置（２）、及び
・生成された電気エネルギ、又はその一部、を電気供給ネット（１４）に給電するための共通の給電装置（８）
を含み、
前記少なくとも２つの風力発電装置（２）は、各風力発電装置（２）によって生成された電気エネルギを電気的直流によって前記共通の給電装置（８）に導くために、電気的直流電圧ネット（４）を介して前記給電装置（８）に接続される
ウインドパーク（１）。
【請求項２】
前記直流電圧ネット（４）は、１〜５０ｋＶ、とりわけ５〜１０ｋＶ、の範囲の直流電圧を有すること
を特徴とする請求項１に記載のウインドパーク（１）。
【請求項３】
前記少なくとも２つの風力発電装置（２）は夫々以下：
・電気的交流を生成する発電機（２）、
・該生成された電気的交流を、第１直流電圧を伴う第１直流に整流する整流器（２０）、及び
・該第１直流電圧を伴う第１直流を、該第１直流電圧より大きい第２直流電圧を伴う第２直流にブーストするブーストコンバータ（３０）
を有すること
を特徴とする請求項１又は２に記載のウインドパーク（１）。
【請求項４】
前記少なくとも２つの風力発電装置（２）の少なくとも１つ、有利にはウインドパークのすべての風力発電装置（２）、は、夫々、電気的交流を生成するために、同期発電機（１８）を有すること
を特徴とする請求項１〜３の何れかに記載のウインドパーク（１）。
【請求項５】
前記給電装置（８）は、前記直流電圧ネット（４）に接続され前記電気供給ネット（１４）に給電するために電気的交流を生成するインバータ（８）を有すること
を特徴とする請求項１〜４の何れかに記載のウインドパーク（１）。
【請求項６】
前記給電装置（８）と前記電気供給ネット（１４）の間に、前記給電装置（８）によって生成される交流電圧を昇圧する変圧器（１２）が配設されること
を特徴とする請求項１〜５の何れかに記載のウインドパーク（１）。
【請求項７】
複数の風力発電装置（２）を有するウインドパーク（１）において生成される電気エネルギを電気供給ネット（１４）に給電する方法であって、以下の工程：
（ａ）風力発電装置（２）の発電機（１８）による電気的交流の生成、
（ｂ）該電気的交流の、第１直流電圧を伴う第１直流への整流、
（ｃ）該第１直流電圧を伴う第１直流の、第２直流電圧を伴う第２直流へのブースト、
（ｄ）該電気供給ネット（１４）に給電するためにパークインバータ（８）に供給するための、該第２直流の、直流電圧パークネット（４）への導入、及び
（ｅ）該直流電圧パークネット（４）に供給された電気エネルギの、該電気供給ネット（１４）への、該パークインバータ（８）を介した給電
を含む方法。
【請求項８】
前記工程ａ〜ｄは、前記ウインドパーク（１）の複数の風力発電装置（２）によって実行されること
を特徴とする請求項７に記載の方法。
【発明の詳細な説明】
【技術分野】
【０００１】
本発明は、風から電気エネルギを生成し、生成された電気エネルギを電気供給ネットに給電するウインドパークに関する。更に、本発明は、複数の風力発電装置を有するウインドパークにおいて生成される電気エネルギを給電する方法に関する。
【背景技術】
【０００２】
風力発電装置によって風から電気エネルギを生成することは一般的に知られている。ここで、生成するとは、風のエネルギが電気エネルギに変換されるという意味で用いられる。しばしば、複数の風力発電装置がひとまとまりにされて、ウインドパーク（ないしウインドファーム）が構成される。そのようなウインドパークは、当該ウインドパーク（ないし複数の風力発電装置）が接続される電気供給ネットに電気エネルギを給電するための共通の給電点を有する。そして、ウインドパークのすべての風力発電装置は、この共通の給電点を介して、電気エネルギを電気供給ネットに給電する。
【０００３】
給電は、この場合、例えば各風力発電装置が夫々の電気的出力（電力）を、電気供給ネットに適合された周波数、電圧振幅（レベル）及び位相を有する電気的交流として供給するよう、実行される。複数の風力発電装置のそのように供給される電流は、共通の給電点において又はその少々手前で重ね合わされ、そして、一緒に電気供給ネットに給電されることができる。
【０００４】
かくして、各風力発電装置が夫々の電流の寄与分を相応の予設定値に従って調整するため、原理的には、任意の数の風力発電装置が１つのウインドパークにおいて一緒に運転されることができる。この場合、場合によっては、全体として供給される出力の調整が依然として必要とされる。
【先行技術文献】
【特許文献】
【０００５】
【特許文献１】ＤＥ １０１ ４５ ３４６ Ａ１
【特許文献２】ＤＥ １９６ ２０ ９０６ Ａ１
【発明の概要】
【発明が解決しようとする課題】
【０００６】
しかしながら、不利なことに、この場合、最終的にウインドパークの全体効率に悪影響を及ぼし得る損失（Verluste）が、個々の風力発電装置及び当該風力発電装置の共通のネット接続点への接続を形成する内部パークネットに生じ得る。
【０００７】
なお、ドイツ特許商標庁は、本願の優先権の基礎出願において、以下の先行技術文献をサーチした：ＤＥ １０１ ４５ ３４６ Ａ１及びＤＥ １９６ ２０ ９０６ Ａ１。
【０００８】
それゆえ、本発明の課題は、上述の不利を可及的に小さくすることである。とりわけ、ウインドパークにおける電力損失（Verlustleistung）が減少されること、及び、それによってウインドパークの効率が向上されることが望まれる。少なくとも、代替的方策が提案されることが望まれる。
【課題を解決するための手段】
【０００９】
本発明に応じて、請求項１に記載のウインドパークが提案される。
【発明を実施するための形態】
【００１０】
そのようなウインドパークは、風から電気エネルギを生成するよう構成され、かつ、電気エネルギを生成する少なくとも２つの風力発電装置と、生成された電気エネルギを接続された電気供給ネットに給電するための共通の給電装置を含む。更に、例えば電気供給ネットの保護（支援）の理由から及び／又は電気供給ネットの運用者の予設定値（基準）に基づいて要求される場合、生成されたないし生成可能な電気エネルギの一部のみが電気供給ネットに給電されることも、とりわけ一時的に、可能である。それ以外では、本発明を原理的に説明するために、場合によって生じ得る電力損失は無視される。従って、基本的理解を説明するために、生成電気的出力（電力）が平均で（即ち、風速の変動による生成電力の変動分がＤＣリンクのコンデンサ等により除去されたないし平滑化された状態で：im Mittel）電気供給ネットにも給電可能であることを出発点とする。電力損失が問題となる限りにおいて、これは具体的に説明される。
【００１１】
提案される方策では、風力発電装置（複数）は、直流電圧パークネットとも称することが可能な直流電圧ネットを介して、給電装置に接続される。従って、風力発電装置（複数）は、夫々の電気エネルギ、又は瞬時状態が考慮される場合は夫々の電気的出力、を電気的直流として直流電圧ネットに導入し、この直流は、又は関連するすべての風力発電装置のこれらの直流が一緒に、給電装置に導かれる。給電装置は、ウインドパークの全体の電気的出力を受け取り、この電気的出力を電気供給ネットに給電することができる。
【００１２】
ここで、直流電圧パークネットへの電気的直流の給電（Einspeisen）と表現することも可能であるが、この場合、給電装置は直流電圧パークネットから電気的出力を得る。従って、電気供給ネットとの混同を回避するために、ここでは、直流電圧ネットへの導入（Einleiten）という概念が選択される。
【００１３】
かくして、直流電圧パークネットを設けること、及び、接続される風力発電装置（複数）が相応の電圧を伴う直流のみをこの直流電圧パークネットに導入することが提案される。この場合、給電は、ウインドパークについて、従って複数の風力発電装置について、ただ１つの給電装置によって行うことができる。この給電装置だけが、周波数、電圧振幅及び位相に関して電気供給ネットに適合された交流（電流）を生成することを要するのみである。また、この給電装置だけが、電気供給ネットの突然変化される要求を含む場合によってあり得る要求に対応することを要するのみである。ネット状態の検出も、この１つの給電装置だけが実行することを要するのみであり、ないしは、この給電装置だけが、相応に検出された値を自動的に考慮することを要するのみである。この場合、給電装置が給電点において直接的にないしその近くに、従って電気供給ネットの近くに配設可能であることも考慮すべきである。かくして、例えば給電装置と電気供給ネットとの間には電圧損失（Spannungsverluste）が全く又は僅かしか生じないので、そのような検出された測定値のより直接的な変換が可能である。
【００１４】
かくして、個々の風力発電装置から給電点への電圧損失も、給電の際には最早考慮する必要はない。給電装置だけが、当該給電装置が生成する交流信号の電圧を電気供給ネットの電圧に適合させることを要するのみである。この給電装置と電気供給ネットとの間の距離は、電気供給ネットに対するウインドパーク内の各風力発電装置（の距離）と比べてより短いため、電圧振幅も、場合によっては電気供給ネットの要求（需要）により良好に適合されることができる。
【００１５】
最後に、風力発電装置内において従来必要とされていた周波数変換装置（インバータ）も不要とすることができる。今や必要であるのは１つの給電装置だけである。この１つの給電装置は、ウインドパークの全出力を変換しなければならず、従って、相応により大容量に構成されなければならないが、それが故に、より大きな効率で、即ちより小さい相対的電力損失で運転されることができる。
【００１６】
直流電圧ネットの直流電圧は、１〜５０ｋＶ、とりわけ５〜１０ｋＶ、であることが、一実施形態に応じて提案される。これは、二極性トロポジ（bipolar Topologie）の場合の２つのライン（送電線）間の電圧に関するものである。
【００１７】
かくして、風力発電装置（複数）は夫々の出力を既に相応に大きな電圧で、即ち中圧（Mittelspannung）で、ウインドパークの直流電圧ネットに導入する。ウインドパークの直流電圧ネットにおけるそのような相応に大きい電圧によって、伝送損失を低減することができる。更に、共通の給電装置では、既にある程度の振幅を有する電圧が利用可能であり、従って、場合によっては、ウインドパークの電流ネットにおける電圧を昇圧するための変圧器を不要とすることができる。かくして、給電装置において中圧インバータが作動されることが可能であり、あるいは、共通の給電装置はより大きな電圧のためにより少ない材料使用しか必要とせず、場合によっては中圧変圧器を不必要とすることが可能な中圧インバータであり得る。
【００１８】
有利には、複数の（少なくとも２つの）風力発電装置の少なくとも１つ、とりわけウインドパークのすべての風力発電装置は、発電機、整流器及びブーストコンバータを有する。発電機は、風力発電装置の空気力学的ロータと結合し、かくして、風から電気的出力（電力）を生成することができるが、この電気的出力は電気的交流（ないし交流電流）として供給される。電気的交流は、整流器によって、第１直流電圧を伴う第１直流（電流）に整流される。第１直流電圧を伴うこの第１直流（電流）は、ブーストコンバータによって、第２直流電圧を伴う第２直流（電流）にブースト（昇圧）され、第２直流電圧は、従って、第１直流電圧より大きい。第２直流電圧は、有利には、ウインドパークの直流電圧ネットに導入される。かくして、ブーストコンバータは、一方では、第１直流電圧を上昇する、即ち直流電圧ネットの電圧振幅（レベル）に上昇するために使用される。同時に、ブーストコンバータは、可及的に一定の第２直流電圧を供給する機能を満たすことができる。これを要する理由は、第１直流電圧は、風の変動に依存して場合によっては変動し得るからである。例えば、第１直流電圧の値は、風が弱い場合、風がより強い場合よりも、とりわけ定格（公称）風速の場合よりも、より小さくなる。
【００１９】
有利には、整流器は、発電機の近くに、とりわけ風力発電装置のナセル（ゴンドラ）の中に、配設され、この場合、生成された第１直流（電流）は、風力発電装置のタワーないし類似の部分を介して、下方の風力発電装置のタワー基部ないし類似の部分に導かれるが、そこには、ブーストコンバータが配設されている。かくして、電気的出力をナセルからタワー基部ないし類似の部分に導くために、直流電圧の伝送（直流導電）を使用することができるようになる。同時に、少なくともウインドパークの直流電圧ネットに存在する高さの高い中圧を回避することができる。
【００２０】
複数の（少なくとも２つの）風力発電装置の少なくとも１つ、有利にはウインドパークのすべての風力発電装置、が、夫々、電気的交流（ないし交流電流）を生成するために、同期発電機を有することが、更なる一形態に応じて提案される。そのような同期発電機は、信頼性を以て、電気的交流を生成し、整流器に供給することができる。有利には、同期発電機は、リングジェネレータ（Ringgenerator）として構成され、従って、外側の３分の１の部分ないしその更に外側の部分においてのみその電磁的な活性（能動）要素（aktiv Element）を有する。有利には、そのような同期発電機は、例えば４８、７２、９６又は１４４の磁極（ポール）のような、多数の磁極（ポール）を備えることができる。これは、発電機の回転子が空気力学的ロータによって直接的に、即ちそれらの間に介在するギア機構なしで駆動され、整流器に供給される交流が直接的に生成される、ギアレス型構造を可能にする。有利には、６相の、即ち２重の３相の同期発電機を使用することができる。そのような６相交流は、より少ない高調波でより容易に整流可能であり、即ち、より小さいフィルタの使用で十分である。有利には、風力発電装置は可変速的に構成され、かくして、空気力学的ロータの回転数はその都度支配的な（優勢な：vorherrschend）風速に連続的に適合されることができる。
【００２１】
一実施形態によれば、給電装置は直流電圧ネットに接続されるインバータ（ＤＣ／ＡＣ変換器：Wechselrichter）を有し、あるいは、給電装置がインバータである。このインバータは、電気供給ネットに給電するために電気的交流（ないし交流電流）を生成する。有利には、この場合、中圧インバータが使用される。
【００２２】
給電装置と電気供給ネットの間に、給電装置によって生成される交流電圧を昇圧する変圧器が配設されると好都合である。この場合、中圧インバータを使用すれば、中圧変圧器は不要とすることができる。この場合、接続される電気供給ネット及びそれらの間のトポロジに応じては、高圧変圧器の使用が考慮される。高圧変圧器は、とりわけ、中圧変圧器が中圧を、とりわけ５〜１０ｋVの電圧を有する交流を既に生成している場合及び／又は５０ｋVまでの可及的に大きな中圧を生成する中圧変圧器が使用される場合に考慮される。
【００２３】
更に、本発明に応じ、請求項７に記載された電気エネルギを電気供給ネットに給電する方法が提案される。これに応じ、電気的交流（ないし交流電流）は、風力発電装置の発電機によって生成され、整流器によって、第１直流電圧を伴う第１直流（電流）に整流される。この第１直流電圧は、振幅が変動し得る。そして、第１直流電圧を伴うこの第１直流（電流）は、ブーストコンバータによって、第２直流電圧を伴う第２直流（電流）にブースト（昇圧）される。この第２直流電圧は、とりわけ振幅が第１直流電圧よりも大きいが、直流電圧パークネット、即ちウインドパークの共通の直流電圧ネットの電圧に適合される。
【００２４】
第２直流電圧を伴うこの第２直流（電流）は、相応に直流電圧パークネットに導入される。この直流電圧パークネットを介して、この導入されたエネルギは、共通のインバータ（パークインバータとも称され得る）に供給され、該インバータは、直流として供給されたこのエネルギを交流に変換し、交流として電気供給ネットに給電する。
【００２５】
有利には、電気的交流（ないし）交流電流の生成、該交流（電流）の第１直流（電流）への整流、第１直流（電流）の第２直流（電流）へのブースト（昇圧）、及び、最終的に、第２直流（電流）の直流電圧パークネットへの導入は、複数の風力発電装置によって夫々実行される。第１直流（電流）、第１直流電圧及び第２直流（電流）の概念は、この場合、体系的（包括的）な概念として理解されるべきであり、実際、第１直流（電流）、第１直流電圧及び第２直流（電流）は、それらの振幅が風力発電装置毎に異なり得る。同じ風力発電装置を使用する場合であっても、例えば支配的（優勢）風速及び／又はウインドパークにおける関連する風力発電装置の位置に依存して、それらの値は異なり得る。尤も、第２直流電圧は、すべての風力発電装置について、少なくとも第１（一次）近似において同じであること、及び、直流電圧パークネットの直流電圧に対応することが望ましい。
【００２６】
以下に、本発明の実施例を例示的に添付の図面を参照して詳細に説明する。
【図面の簡単な説明】
【００２７】
【図１】ウインドパークに配設されるべき風力発電装置の一例の模式的斜視図。
【図２】ウインドパークの一例の模式図。
【実施例】
【００２８】
図１は、タワー１０２とナセル（ゴンドラ）１０４とを有する風力発電装置１００の一例を示す。ナセル１０４には、３つのロータブレード１０８とスピナ１１０とを有する空気力学的ロータ１０６が配されている。ロータ１０６は、運転時、風によって回転運動され、それによって、ナセル１０４内の発電機を駆動する。
【００２９】
図２は、例として２つの風力発電装置２を有するウインドパーク（ウインドファーム）１の一例を示し、該２つの風力発電装置２の一方については更なる詳細が示されているのに対し、他方については簡略化のため図示しなかったが、場合によっては異なるように構成することも可能である。２つの風力発電装置２は、夫々、直流電圧ライン４と直流電圧バス６とを介して、共通のインバータ８に接続されている。共通のインバータ８は、バス６の直流電圧ないし直流（電流）から、その出力端１０において、交流電圧を伴う交流（電流）を生成し、これを、この例では中圧変圧器として構成されている変圧器１２を介して電気供給ネット１４に給電する。
【００３０】
原理的機能態様及び少なくとも１実施例において不可欠の構成要素については、詳細に図示した風力発電装置２を出発点として説明する。風力発電装置２は空気力学的ロータ１６を有し、該ロータ１６は、風によって回転され、その際、同期発電機１８の回転子を回転し、かくして、同期発電機１８は交流（電流）を生成し、整流器２０に供給する。整流器２０は、風力発電装置２のナセル２２内に配設されており、そこで、第１直流電圧を伴う第１直流（電流）を生成する。第１直流電圧を伴う第１直流（電流）は、直流接続ライン２４によって、ナセル２２からタワー２６を介してタワー基部２８に導かれる。直流接続ライン２４は、従って、直流タワーラインとも称され得る。
【００３１】
タワー基部２８では、直流接続ライン２４はブーストコンバータ（昇圧器）３０に接続されている。ブーストコンバータ３０は、第１直流電圧を伴う第１直流（電流）を第２直流電圧を伴う第２直流（電流）に変換する。第２直流電圧を伴うこの第２直流（電流）は、ブーストコンバータ３０の出力端３２において出力され、（１つの）直流電圧ライン４を介してバス６に導かれる。
【００３２】
直流接続ライン２４ないし直流タワーライン２４に従って整流器２０の出力端に生成する第１直流の第１直流電圧は、凡そ５ｋVである。直流電圧ライン４ないしバス６への直流電圧接続（ライン）４に存在する直流電圧は、有利には、５〜１０ｋVの値を有する。これに応じて、この値は、バス６に、従って共通のインバータ８の入力端にも存在する。これに応じて、図示の例では、共通のインバータ８は、５〜１０ｋVの直流電圧の変換（変圧）が可能なように構成されている。かくして実質的に給電装置を構成する共通のインバータ８は、従って、中圧インバータとして構成されている。
【００３３】
図示のトポロジ（空間的位置関係）によって、複数の風力発電装置２の夫々に１つのインバータを設けることを不要とすることができる。使用される共通のインバータ８は、とりわけ図２の例でも提案されているような中圧インバータを使用する場合、より低い電圧を有する多数の個別インバータによって達成され得る効率よりも、より大きな効率で運転することができる。図２は全部で２つの風力発電装置２を示しているが、これは単に、ウインドパーク１には複数の風力発電装置２が含まれていることを示唆しているに過ぎない。有利には、そのようなウインドパークは、３以上の風力発電装置２を有し、とりわけ５０以上の風力発電装置を有するが、これらの風力発電装置はすべて直流電圧ライン４を介してバス６に接続される。従って、直流電圧ライン４は全体で、直流電圧パークネット４又は単純に（ウインド）パーク内の直流電圧ネット４としても称することができる。直流電圧パークネット４は、従って、個々の風力発電装置間での直接的な接続を形成する必要はないが、例えば図２に示したようなバス６を介するような間接的な接続を形成することは可能である。
【００３４】
ウインドパーク１及び／又は電気供給ネット１４の構成に応じて、中圧変圧器１２は不要とすることができる。複数の風力発電装置２によって生成されるすべての電気的出力（電力）は、直流電圧ネット４において、可及的に大きな電圧で供給され、そして、共通のインバータ８によって可及的に大きい効率で電気供給ネット１４に給電される。
【００３５】
かくして、ウインドパーク１の効率の向上が全体として可能にされるが、これはとりわけ損失の低減によって可能にされる。更に、将来のネットの要求（条件）に対応することも可能にされる。そのようなネットの要求としては、例えば、ウインドパークが電気供給ネットにおける所定の状況に対して非常に決定的に応答しなければならないこと、又は、ウインドパークが電気供給ネットの運用者の要求に対し非常に決定的にかつ明確に予め決定された態様で応答しなければならないことが該当し得る。そのような要求は、全く突然に相応の信号によって（予め）与えられることも可能である。共通のインバータ８の使用によって、ウインドパーク１は、電気供給ネットによって大型電流源としてのみ認識されるウインドパーク発電所という意味で動作することができる。ウインドパーク１の複数の風力発電装置２の場合によってあり得る相違は、全く或いは実質的に電気供給ネット１４に影響を及ぼさないか、ないしは、電気供給ネット１４によって認識されることはできない。これに関連するものとしては、とりわけ、電気供給ネットにおける状況の変化及び／又は電気供給ネット１４による要求の変化に応答する際の時間的挙動の相違が該当し得る。
【００３６】
かくして、直流電圧技術及びとりわけ凡そ５〜１０ｋVの中圧電圧領域における電圧領域によってウインドパーク全体を配線することが、とりわけ提案される。風力発電装置は（それぞれ個別の）インバータなしで構成される。図２にバス６を伴うインバータ８として記載されているネット供給ステーションへのエネルギ伝送は、直流電圧によって実行される。従って、ネット供給ステーションには、交流電圧ネット、即ち電気供給ネット１４への給電のための中圧インバータが使用される。この中圧インバータは、全てのネット要求、即ち電気供給ネットによる要求を満たし、更に、場合によってあり得る無効電力要求、即ち給電されるべき無効電流成分に関する要求も満たす。
【００３７】
かくして、風力発電装置を可及的にコスト的に有利にかつ可及的に大きな効率で建設可能にするという目的にも適う方策が提案される。
【図１】
2015532697.tif 000003
【図２】
2015532697.tif 000004
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
風から電気エネルギを生成するウインドパーク（１）であって、
・電気エネルギを生成する少なくとも２つの風力発電装置（２）、及び
・生成された電気エネルギ、又はその一部、を電気供給ネット（１４）に給電するための共通の給電装置（８）
を含み、
前記少なくとも２つの風力発電装置（２）は、各風力発電装置（２）によって生成された電気エネルギを電気的直流によって前記共通の給電装置（８）に導くために、電気的直流電圧ネット（４）を介して前記給電装置（８）に接続される
ウインドパーク（１）。
【請求項２】
前記直流電圧ネット（４）は、１〜５０ｋＶの範囲の直流電圧を有すること
を特徴とする請求項１に記載のウインドパーク（１）。
【請求項３】
前記少なくとも２つの風力発電装置（２）は夫々以下：
・電気的交流を生成する発電機（２）、
・該生成された電気的交流を、第１直流電圧を伴う第１直流に整流する整流器（２０）、及び
・該第１直流電圧を伴う第１直流を、該第１直流電圧より大きい第２直流電圧を伴う第２直流にブーストするブーストコンバータ（３０）
を有すること
を特徴とする請求項１又は２に記載のウインドパーク（１）。
【請求項４】
前記少なくとも２つの風力発電装置（２）の少なくとも１つは、夫々、電気的交流を生成するために、同期発電機（１８）を有すること
を特徴とする請求項１〜３の何れかに記載のウインドパーク（１）。
【請求項５】
前記給電装置（８）は、前記直流電圧ネット（４）に接続され前記電気供給ネット（１４）に給電するために電気的交流を生成するインバータ（８）を有すること
を特徴とする請求項１〜４の何れかに記載のウインドパーク（１）。
【請求項６】
前記給電装置（８）と前記電気供給ネット（１４）の間に、前記給電装置（８）によって生成される交流電圧を昇圧する変圧器（１２）が配設されること
を特徴とする請求項１〜５の何れかに記載のウインドパーク（１）。
【請求項７】
複数の風力発電装置（２）を有するウインドパーク（１）において生成される電気エネルギを電気供給ネット（１４）に給電する方法であって、以下の工程：
（ａ）風力発電装置（２）の発電機（１８）による電気的交流の生成、
（ｂ）該電気的交流の、第１直流電圧を伴う第１直流への整流、
（ｃ）該第１直流電圧を伴う第１直流の、第２直流電圧を伴う第２直流へのブースト、
（ｄ）該電気供給ネット（１４）に給電するためにパークインバータ（８）に供給するための、該第２直流の、直流電圧パークネット（４）への導入、及び
（ｅ）該直流電圧パークネット（４）に供給された電気エネルギの、該電気供給ネット（１４）への、該パークインバータ（８）を介した給電
を含む方法。
【請求項８】
前記工程ａ〜ｄは、前記ウインドパーク（１）の複数の風力発電装置（２）によって実行されること
を特徴とする請求項７に記載の方法。
【手続補正２】
【補正対象書類名】明細書
【補正対象項目名】０００９
【補正方法】変更
【補正の内容】
【０００９】
本発明に応じて、請求項１に記載のウインドパークが提案される。
（形態１）上記の課題を解決するために、本発明の第１の視点により、風から電気エネルギを生成するウインドパークが提供される。このウインドパークは、
・電気エネルギを生成する少なくとも２つの風力発電装置、及び
・生成された電気エネルギ、又はその一部、を電気供給ネットに給電するための共通の給電装置
を含み、
前記少なくとも２つの風力発電装置は、各風力発電装置によって生成された電気エネルギを電気的直流によって前記共通の給電装置に導くために、電気的直流電圧ネットを介して前記給電装置に接続される。
（形態２）上記のウインドパークにおいて、前記直流電圧ネットは、１〜５０ｋＶ、とりわけ５〜１０ｋＶ、の範囲の直流電圧を有することが好ましい。
（形態３）上記のウインドパークにおいて、前記少なくとも２つの風力発電装置は夫々以下：
・電気的交流を生成する発電機、
・該生成された電気的交流を、第１直流電圧を伴う第１直流に整流する整流器、及び
・該第１直流電圧を伴う第１直流を、該第１直流電圧より大きい第２直流電圧を伴う第２直流にブーストするブーストコンバータ
を有することが好ましい。
（形態４）上記のウインドパークにおいて、前記少なくとも２つの風力発電装置の少なくとも１つ、有利にはウインドパークのすべての風力発電装置、は、夫々、電気的交流を生成するために、同期発電機を有することが好ましい。
（形態５）上記のウインドパークにおいて、前記給電装置は、前記直流電圧ネットに接続され前記電気供給ネットに給電するために電気的交流を生成するインバータを有することが好ましい。
（形態６）上記のウインドパークにおいて、前記給電装置と前記電気供給ネットの間に、前記給電装置によって生成される交流電圧を昇圧する変圧器が配設されることが好ましい。
（形態７）上記課題を解決するために、本発明の第２の視点により、複数の風力発電装置を有するウインドパークにおいて生成される電気エネルギを電気供給ネットに給電する方法が提供される。この方法は、以下の工程：
（ａ）風力発電装置の発電機による電気的交流の生成、
（ｂ）該電気的交流の、第１直流電圧を伴う第１直流への整流、
（ｃ）該第１直流電圧を伴う第１直流の、第２直流電圧を伴う第２直流へのブースト、
（ｄ）該電気供給ネットに給電するためにパークインバータに供給するための、該第２直流の、直流電圧パークネットへの導入、及び
（ｅ）該直流電圧パークネットに供給された電気エネルギの、該電気供給ネットへの、該パークインバータを介した給電
を含む。
（形態８）上記の方法において、前記工程ａ〜ｄは、前記ウインドパークの複数の風力発電装置によって実行されることが好ましい。
【手続補正３】
【補正対象書類名】明細書
【補正対象項目名】００２６
【補正方法】変更
【補正の内容】
【００２６】
以下に、本発明の実施例を例示的に添付の図面を参照して詳細に説明する。なお、特許請求の範囲に付した図面参照符号は専ら発明の理解を助けるためのものであり、本発明を図示の態様に限定することは意図しない。
【国際調査報告】
2015532697.tif 000005
2015532697.tif 000006
2015532697.tif 000007
2015532697.tif 000008
2015532697.tif 000009
2015532697.tif 000010